(57)【要約】 【課題】  液晶パネルの各電極を破壊することなく、ＴＦＴ素子や駆動ＩＣドライバの破壊を防ぐことのできる保護フィルム剥離装置および保護フィルム剥離方法を提供する。【解決手段】    保持台１０１、支持部材１０２および樹脂パッド１０３は液晶パネルＰを保持し、剥離部材１０４および移動手段は保護フィルムＦを液晶パネルＰから剥離し、発光部１０５および受光部１０６は液晶パネルＰの帯電量を検出し、電極部１０７は液晶パネルＰの保護フィルムＦが剥離される側の面に対して反対側に、液晶パネルＰと所定の間隔を隔てて配置され、電位調整部１０８およびバイポーラ電源１０９は発光部１０５および受光部１０６が検出した液晶パネルＰの帯電量に基づいて、液晶パネルＰの帯電量を減少させるように電極部１０７の印加電位を調整するようにする。【選択図】      図１
2009086547.tif 000002
【特許請求の範囲】
【請求項１】
対向電極と画素電極とを有する液晶パネルの表面を保護する保護フィルムを剥離する保護フィルム剥離装置であって、
液晶パネルを保持する保持部と、
保護フィルムを液晶パネルから剥離する剥離部と、
液晶パネルの帯電量を検出する帯電検出部と、
液晶パネルの保護フィルムが剥離される側の面に対して反対側に、液晶パネルと所定の間隔を隔てて配置される電極部と、
帯電検出部が検出した液晶パネルの帯電量に基づいて、液晶パネルの帯電量を減少させるように電極部の印加電位を調整する電源部とを備えることを特徴とする保護フィルム剥離装置。
【請求項２】
帯電検出部は、液晶パネル面に対して光を入射させる発光部と、液晶パネルを透過した透過光を受光する受光部とを備え、発光部および受光部は、液晶パネルを挟んで対向するように設けられ、透過光の受光量に基づいて帯電量を検出することを特徴とする請求項１に記載の保護フィルム剥離装置。
【請求項３】
電極部は、液晶パネルと略同一寸法である矩形状の板状部材であり、液晶パネルの面に対して略平行になるように配置されることを特徴とする請求項１または２に記載の保護フィルム剥離装置。
【請求項４】
電極部は、発光部と受光部との間に配設され、発光部から出射される光を通過させる開口部が設けられることを特徴とする請求項２に記載の保護フィルム剥離装置。
【請求項５】
電源部は、バイポーラ電源を備えることを特徴とする請求項１〜４のいずれか１つに記載の保護フィルム剥離装置。
【請求項６】
電源部は、帯電検出部が検出した液晶パネルの帯電量に基づいて、バイポーラ電源の出力を調整する電位調整部を備えることを特徴とする請求項５に記載の保護フィルム剥離装置。
【請求項７】
電源部は、液晶パネルの対向電極と画素電極との間の電界による電界強度を減少させるように電極部の印加電位を調整することを特徴とする請求項１〜６のいずれか１つに記載の保護フィルム剥離装置。
【請求項８】
対向電極と画素電極とを有する液晶パネルの表面を保護する保護フィルムを剥離する保護フィルム剥離方法であって、
保持部は液晶パネルを保持し、剥離部は保護フィルムを液晶パネルから剥離し、帯電検出部は液晶パネルの帯電量を検出し、電極部は液晶パネルの保護フィルムが剥離される側の面に対して反対側に、液晶パネルと所定の間隔を隔てて配置され、電源部は帯電検出部が検出した液晶パネルの帯電量に基づいて、液晶パネルの帯電量を減少させるように電極部の印加電位を調整することを特徴とする保護フィルム剥離方法。
【請求項９】
帯電検出部は、液晶パネル面に対して光を入射させ、液晶パネルを透過した透過光を受光して、透過光の受光量に基づいて、液晶パネルの帯電量を検出することを特徴とする請求項８に記載の保護フィルム剥離方法。
【発明の詳細な説明】
【技術分野】
【０００１】
本発明は、液晶パネルの表面を保護するために貼り付けられている保護フィルムを剥離するための保護フィルム剥離装置およびその剥離方法に関する。
【背景技術】
【０００２】
図３は液晶パネルＰの構造を示す断面図である。液晶テレビジョン受像機などの液晶表示装置の表示切替を担う液晶パネルＰは、たとえば、図３に示すように、一方の表面に所定の形状の対向電極３０１が形成されたガラス基板３０２と、一方の表面に所定の形状の画素電極３０３が形成されたガラス基板３０４とを、対向電極３０１および画素電極３０３が形成された面同士を向かい合わせて基板間距離が均一となるようにスペーサまたはシール材３０５，３０６を介在させて平行に接着固定される。そして、この基板間に液晶材料３０７を封入し、さらにガラス基板３０２，３０４の、対向電極３０１および画素電極３０３が形成された面とは反対側の面に偏光板３０８，３０９をそれぞれ貼り付けて構成される。対向電極３０１は、対向電極取出し電極３１０に接続され、画素電極３０３は画素電極取出し電極３１１に接続され、対向電極取出し電極３１０および画素電極取出し電極３１１は、駆動ＩＣ（Integrated circuit）ドライバ３１２に接続される。駆動ＩＣドライバ３１２は、駆動ＩＣドライバ取出し電極３１３に接続される。対向電極３０１、ガラス基板３０２および偏光板３０８は、カラーフィルタ形成ガラス基板Ｃを形成し、画素電極３０３、ガラス基板３０４および偏光板３０９は、ＴＦＴ（Thin Film Transistor）形成ガラス基板Ｔを形成する。
【０００３】
これらの液晶パネルＰに用いられる偏光板３０８，３０９の表面には、液晶パネルＰの製造時の作業における偏光板３０８，３０９表面の打痕や擦傷などを防ぐために保護フィルムＦが貼り付けられるが、偏光板３０８，３０９は非常に帯電しやすい性質を有しているため、最終的に保護フィルムＦを剥離する際に偏光板３０８，３０９の表面が剥離帯電し、非常に高い電位上昇を招いてしまう。
【０００４】
以下、図４を用いて、保護フィルム剥離時における液晶パネルＰの帯電現象と、それに起因するＴＦＴ破壊や駆動ＩＣドライバ３１２の破壊などの問題について詳細に説明する。
【０００５】
図４は、保護フィルムＦ剥離時における液晶パネルＰの帯電状態を示す断面図である。図４に示すように、保護フィルムＦを剥離する際に、偏光板３０８の表面は剥離帯電によって、たとえば正に帯電する。そして、帯電した偏光板３０８からは電界Ｙ１が液晶パネルＰの内部に向かって発生し、その作用により対向電極３０１が静電誘導されて内部に電荷の偏りを生じる。対向電極３０１の内部に電荷の偏りが生じると、電界Ｙ２が画素電極３０３に向かって発生し、その作用により画素電極３０３もまた静電誘導されて内部に電荷の偏りを生じる。
【０００６】
このように、電界Ｙ１および画素電極３０３内部における電荷の偏りが生じることにより、画素電極３０３に接続され形成されたＴＦＴ素子において絶縁膜剥離などの現象が起こり、ＴＦＴ素子が破壊されてしまうおそれがある。
【０００７】
また、上述のようにして対向電極３０１や画素電極３０３の内部に電荷の偏りを生じている状態で、対向電極取出し電極３１０、画素電極取出し電極３１１および駆動ＩＣドライバ取出し電極３１３が電気的に接触すると、対向電極３０１、画素電極３０３、対向電極取出し電極３１０、画素電極取出し電極３１１および駆動ＩＣドライバ取出し電極３１３などの各電極や、画素電極３０３に接続され形成されたＴＦＴ素子において瞬間的に大量の電荷が流れ、ＴＦＴ破壊やＴＦＴ部分の絶縁膜破壊を引き起こしてしまうおそれがある。さらに、微細化された配線により構成される駆動ＩＣドライバ３１２にも瞬間的に大量の電荷が流れるため、発生するジュール熱によって配線が焼き切れ、駆動ＩＣドライバ３１２の破壊をも引き起こしてしまうおそれがある。
【０００８】
上述のような問題を解決するために、たとえば、特許文献１では、液晶モジュールの全ての外部取り出し電極を高抵抗を介して相互に接続することにより、各取り出し電極間の電位差をなくすとともに、パネルの内部に残留する電荷を安全かつ完全に放電させるようにした液晶表示装置の製造方法について開示されている。
【０００９】
また特許文献２では、対向基板上の対向電極とアクティブマトリクス基板上の配線とを電気的に接続するコモン転移電極部につながる接触用電極を設け、アースに接続されたプローブや導電性ゴムをその接触用電極に接触させることにより、対向電極から液晶表示装置内部に帯電した静電気を除去することができる液晶表示装置について開示されている。
【００１０】
【特許文献１】特開平１０−１７７１８９号公報
【特許文献２】特開平１１−３０５２５９号公報
【発明の開示】
【発明が解決しようとする課題】
【００１１】
特許文献１および２に開示される技術では、ＴＦＴ素子や駆動ＩＣドライバ３１２の破壊が起こらない程度に液晶パネルＰの帯電を抑えることはできるが、保護フィルムＦの剥離時における偏光板３０８，３０９表面の帯電をなくすことはできないため、なんらかの原因で上述の技術が用いられない状況では、ＴＦＴ素子や駆動ＩＣドライバ３１２の破壊が生じてしまうおそれがある。
【００１２】
また上述の技術では、液晶パネルＰを液晶表示装置として組み立てる際などに、全ての液晶パネルＰにおいて、たとえば対向電極取出し電極３１０と画素電極取出し電極３１１との間に高抵抗を介して接続したり、接触用電極を設けてアース接続をしたりする必要があり、これらの接続時に各電極を物理的に破壊してしまうおそれがある。
【００１３】
本発明は、上述のような問題点に鑑みてなされたものであって、その目的は、液晶パネルＰの各電極を破壊することなく、ＴＦＴ素子や駆動ＩＣドライバ３１２の破壊を確実に防ぐことのできる保護フィルム剥離装置および保護フィルム剥離方法を提供することである。
【課題を解決するための手段】
【００１４】
本発明は、対向電極と画素電極とを有する液晶パネルの表面を保護する保護フィルムを剥離する保護フィルム剥離装置であって、
液晶パネルを保持する保持部と、
保護フィルムを液晶パネルから剥離する剥離部と、
液晶パネルの帯電量を検出する帯電検出部と、
液晶パネルの保護フィルムが剥離される側の面に対して反対側に、液晶パネルと所定の間隔を隔てて配置される電極部と、
帯電検出部が検出した液晶パネルの帯電量に基づいて、液晶パネルの帯電量を減少させるように電極部の印加電位を調整する電源部とを備えることを特徴とする保護フィルム剥離装置である。
【００１５】
また本発明の保護フィルム剥離装置は、帯電検出部は、液晶パネル面に対して光を入射させる発光部と、液晶パネルを透過した透過光を受光する受光部とを備え、発光部および受光部は、液晶パネルを挟んで対向するように設けられ、透過光の受光量に基づいて帯電量を検出することを特徴とする。
【００１６】
また本発明の保護フィルム剥離装置は、電極部は、液晶パネルと略同一寸法である矩形状の板状部材であり、液晶パネルの面に対して略平行になるように配置されることを特徴とする。
【００１７】
また本発明の保護フィルム剥離装置は、電極部は、発光部と受光部との間に配設され、発光部から出射される光を通過させる開口部が設けられることを特徴とする。
【００１８】
また本発明の保護フィルム剥離装置は、電源部は、バイポーラ電源を備えることを特徴とする。
【００１９】
また本発明の保護フィルム剥離装置は、電源部は、帯電検出部が検出した液晶パネルの帯電量に基づいて、バイポーラ電源の出力を調整する電位調整部を備えることを特徴とする。
【００２０】
また本発明の保護フィルム剥離装置は、電源部は、液晶パネルの対向電極と画素電極との間の電界による電界強度を減少させるように電極部の印加電位を調整することを特徴とする。
【００２１】
また本発明は、対向電極と画素電極とを有する液晶パネルの表面を保護する保護フィルムを剥離する保護フィルム剥離方法であって、
保持部は液晶パネルを保持し、剥離部は保護フィルムを液晶パネルから剥離し、帯電検出部は液晶パネルの帯電量を検出し、電極部は液晶パネルの保護フィルムが剥離される側の面に対して反対側に、液晶パネルと所定の間隔を隔てて配置され、電源部は帯電検出部が検出した液晶パネルの帯電量に基づいて、液晶パネルの帯電量を減少させるように電極部の印加電位を調整することを特徴とする保護フィルム剥離方法である。
【００２２】
また本発明の保護フィルム剥離方法は、帯電検出部は、液晶パネル面に対して光を入射させ、液晶パネルを透過した透過光を受光して、透過光の受光量に基づいて、液晶パネルの帯電量を検出することを特徴とする。
【発明の効果】
【００２３】
本発明によれば、対向電極と画素電極とを有する液晶パネルの表面を保護する保護フィルムを剥離する保護フィルム剥離装置において、保持部は液晶パネルを保持し、剥離部は保護フィルムを液晶パネルから剥離し、帯電検出部は液晶パネルの帯電量を検出し、電極部は液晶パネルの保護フィルムが剥離される側の面に対して反対側に、液晶パネルと所定の間隔を隔てて配置され、電源部は帯電検出部が検出した液晶パネルの帯電量に基づいて、液晶パネルの帯電量を減少させるように電極部の印加電位を調整する。
【００２４】
このように、液晶パネルと所定の間隔を隔てて配置された電極部の印加電位を調整することによって液晶パネルの帯電量を減少させるようにするため、液晶パネルの各電極を破壊することなく、ＴＦＴ素子や駆動ＩＣドライバの破壊を防ぐことができる。
【００２５】
また、帯電検出部が検出した液晶パネルの帯電量に基づいて電極部の印加電位を調整するため、確実にＴＦＴ素子や駆動ＩＣドライバの破壊を防ぐことができる。
【００２６】
また本発明によれば、帯電検出部は、液晶パネル面に対して光を入射させる発光部と、液晶パネルを透過した透過光を受光する受光部とを備え、発光部および受光部は、液晶パネルを挟んで対向するように設けられ、透過光の受光量に基づいて帯電量を検出することが好ましい。これにより、液晶分子の配向を利用して簡便に液晶パネルの帯電量を検出することができ、より簡便に電極部の印加電位を調整することができる。
【００２７】
また本発明によれば、電極部は、液晶パネルと略同一寸法である矩形状の板状部材であり、液晶パネルの面に対して略平行になるように配置されることが好ましい。これにより、保護フィルムの剥離によって液晶パネルに発生する電界による電界強度を減少させる電界を、液晶パネルに対して均一に発生させることができるため、ＴＦＴ素子や駆動ＩＣドライバの破壊をより確実に防ぐことができる。
【００２８】
また本発明によれば、電極部は、発光部と受光部との間に配設され、発光部から出射される光を通過させる開口部が設けられることが好ましい。これにより、電極部を発光部と受光部との間に配設しても、発光部から出射される光が遮蔽されることなく受光部に受光されるようにすることができ、より装置を小型化することができる。
【００２９】
また本発明によれば、電源部は、バイポーラ電源を備えることが好ましい。これにより、正負両電位を電極部に与えることができるため、保護フィルム剥離時における液晶パネル表面の帯電状態に対応して、電極部の印加電位を任意に設定することができる。
【００３０】
また本発明によれば、電源部は、帯電検出部が検出した液晶パネルの帯電量に基づいて、バイポーラ電源の出力を調整する電位調整部を備えることが好ましい。これにより、より容易に電極部の印加電位を調整することができるようになり、ＴＦＴ素子や駆動ＩＣドライバの破壊をより容易に防ぐことができる。
【００３１】
また本発明によれば、電源部は、液晶パネルの対向電極と画素電極との間の電界による電界強度を減少させるように電極部の印加電位を調整することが好ましい。これにより、保護フィルム剥離時に発生する液晶パネルの剥離帯電をより効果的になくすことができ、ＴＦＴ素子や駆動ＩＣドライバの破壊をより確実に防ぐことができる。
【００３２】
また本発明によれば、対向電極と画素電極とを有する液晶パネルの表面を保護する保護フィルムを剥離する保護フィルム剥離方法において、保持部は液晶パネルを保持し、剥離部は保護フィルムを液晶パネルから剥離し、帯電検出部は液晶パネルの帯電量を検出し、電極部は液晶パネルの保護フィルムが剥離される側の面に対して反対側に、液晶パネルと所定の間隔を隔てて配置され、電源部は帯電検出部が検出した液晶パネルの帯電量に基づいて、液晶パネルの帯電量を減少させるように電極部の印加電位をを調整する。
【００３３】
このように、液晶パネルと所定の間隔を隔てて配置された電極部の印加電位を調整することによって液晶パネルの帯電量を減少させるようにするため、液晶パネルの各電極を破壊することなく、ＴＦＴ素子や駆動ＩＣドライバの破壊を防ぐことができる。また、帯電検出部が検出した液晶パネルの帯電量に基づいて電極部の印加電位を調整するため、確実にＴＦＴ素子や駆動ＩＣドライバの破壊を防ぐことができる。
【００３４】
また本発明によれば、帯電検出部は、液晶パネル面に対して光を入射させ、液晶パネルを透過した透過光を受光して、透過光の受光量に基づいて、液晶パネルの帯電量を検出することが好ましい。
【００３５】
これにより、液晶分子の配向を利用して簡便に液晶パネルの帯電量を検出することができ、より簡便に電極部の電位を調整することができる。
【発明を実施するための最良の形態】
【００３６】
本発明の保護フィルム剥離装置は、対向電極と画素電極とを有する液晶パネルの表面を保護する保護フィルムを剥離する保護フィルム剥離装置であって、液晶パネルを保持する保持部と、保護フィルムを液晶パネルから剥離する剥離部と、液晶パネルの帯電量を検出する帯電検出部と、液晶パネルの保護フィルムが剥離される側の面に対して反対側に、液晶パネルと所定の間隔を隔てて配置される電極部と、帯電検出部が検出した液晶パネルの帯電量に基づいて、液晶パネルの帯電量を減少させるように電極部の印加電位を調整する電源部とを備える。
【００３７】
このように、液晶パネルと所定の間隔を隔てて配置された電極部の印加電位を調整することによって液晶パネルの帯電量を減少させるようにするため、液晶パネルの各電極を破壊することなく、ＴＦＴ素子や駆動ＩＣドライバの破壊を防ぐことができる。
【００３８】
また、帯電検出部が検出した液晶パネルの帯電量に基づいて電極部の印加電位を調整するため、確実にＴＦＴ素子や駆動ＩＣドライバの破壊を防ぐことができる。
【００３９】
以下に、図面を参照して本発明の実施の形態について詳細に説明する。
図１は、本発明の一実施形態における保護フィルム剥離装置１の構成を簡略化して示す斜視図であり、図２は、本発明の保護フィルム剥離装置１によって保護フィルムＦが剥離されるときの液晶パネルＰの帯電状態を示す断面図である。
【００４０】
本発明の一実施形態である保護フィルム剥離装置１は、製造時の作業などにおいて、液晶パネルＰの表面にある偏光板が損傷することを防ぐために、偏光板表面を保護することを目的として貼り付けられる保護フィルムＦを剥離するための剥離装置であって、図１に示すように、液晶パネルＰを保持する保持台１０１、支持部材１０２および樹脂パッド１０３と、保護フィルムＦを液晶パネルＰから剥離する剥離部材１０４および移動手段（図示せず）と、液晶パネルＰの帯電量を検出する発光部１０５および受光部１０６と、液晶パネルＰの保護フィルムＦが剥離される側の面に対して反対側に、液晶パネルＰと所定の間隔を隔てて配置される電極部１０７と、発光部１０５および受光部１０６が検出した液晶パネルＰの帯電量に基づいて、液晶パネルＰの帯電量を減少させるように電極部１０７の印加電位を調整する電位調整部１０８およびバイポーラ電源１０９とを備える。
【００４１】
本発明の保護フィルム剥離装置１に適用される液晶パネルＰの表面には、図１および図２に示すように、液晶パネルＰの表面に設けられる偏光板を保護するために保護フィルムＦが貼り付けられている。
【００４２】
液晶パネルＰの大きさとしては、特に限定されるものではないが、たとえば、テレビサイズにするためのパネル分断工程後に得られる１辺が４００ｍｍ以上の寸法のものなどが挙げられる。
【００４３】
保護フィルムＦとしては、特に限定されるものではないが、傷に強い樹脂、たとえば熱可塑性ポリエステル樹脂であるポリエチレンテレフタレート（ＰＥＴ）樹脂やナイロン樹脂などで作られたラミネートフィルムなどが挙げられる。また、保護フィルムＦは液晶パネルＰと略同一寸法であることが好ましく、特には液晶パネルＰの４辺の端から５ｍｍ〜１０ｍｍ程度小さい寸法であることが好ましい。
【００４４】
保護フィルムＦを液晶パネルＰに貼り付ける粘着剤としては、特に限定されるものではなく一般的に用いられる有機系粘着剤により構成されたものであればよいが、剥離帯電防止性能に優れるものが好ましい。
【００４５】
保護フィルム剥離装置１において、保持台１０１は、たとえばアルミ構造材などから構成され、その中央部が中抜きされて形成された中抜き部１０１ａを有する矩形状の枠状部材である。中抜き部１０１ａは、液晶パネルＰがその内部に設置可能な形状であればよいが、たとえば、液晶パネルＰの４辺の端から５ｍｍ〜２０ｍｍ程度大きい矩形状に中抜きされた形状であることが好ましい。
【００４６】
保持台１０１の下面部の四隅には、たとえばアルミ構造材などから構成される円柱状の支持部材１０２がそれぞれ１つずつ設けられて、保持台１０１を支持し固定する。
【００４７】
保持台１０１の中抜き部１０１ａに設置される液晶パネルＰは、液晶パネルＰの長辺に沿ってそれぞれ２つずつ並んで設けられる樹脂パッド１０３によって固定される。樹脂パッド１０３は、たとえばＭＣ（Monomer Cast）ナイロンやウレタン樹脂などから構成される直方体状部材であり、中抜き部１０１ａに設置される液晶パネルＰの短辺方向に変位可能に保持台１０１に設けられる。樹脂パッド１０３は、中抜き部１０１ａに設置される液晶パネルＰに対して近接する方向に変位することによって液晶パネルＰを短手方向両端側から挟持して、液晶パネルＰが水平方向に移動しないように固定する。
【００４８】
樹脂パッド１０３の配置としては、上記の配置に限られるものではなく、たとえば、液晶パネルＰの４辺に沿って１つずつ設けられていてもよいし、また４つ以上設けられていてもよい。なお、液晶パネルＰの短辺に沿って設けられる樹脂パッド１０３は、中抜き部１０１ａに設置される液晶パネルＰの長辺方向に変位可能に保持台１０１に設けられる。
【００４９】
なお、上記の構成では、液晶パネルＰを固定する手段として樹脂パッド１０３を用いたが、これに限定されず液晶パネルＰを固定できるものであればよく、たとえば真空差圧を利用した吸盤などであってもよい。
【００５０】
保持台１０１、支持部材１０２および保持部材１０３は、保持部に相当する。なお、保持部は、特に上記の構成に限定されるものではなく液晶パネルＰをその上下面側に空間を有するようにして固定可能な構成のものであればよい。
【００５１】
液晶パネルＰの上方には、保護フィルムＦを粘着して剥離する剥離部材１０４が配置される。剥離部材１０４は、たとえばアルミ合金などから構成される略直方体部材であり、保護フィルムＦと対向する部分には粘着部１０４ａが設けられる。粘着部１０４ａの構成材料としては、粘着性を備える材料であればよく特に限定されるものではないが、たとえば柔軟性と粘着性とを兼ね備えるブチルゴムなどが挙げられる。
【００５２】
粘着部１０４ａと保護フィルムＦとの粘着力は、液晶パネルＰ表面の偏光板と保護フィルムＦとの粘着力よりも大きいことが好ましく、さらには１．５倍以上１０倍以下であることが好ましい。粘着部１０４ａと保護フィルムＦとの粘着力の強度としては、たとえば１００ｈＰａ以上であることが好ましい。
【００５３】
剥離部材１０４は、上記構成に限定されず保護フィルムＦの剥離が可能な構成であればよく、たとえば粘着ローラや粘着テープなどを用いる構成であってもよい。
【００５４】
剥離部材１０４は、移動手段（図示せず）によって、上下方向、および液晶パネルＰの一角部から対向する一角部まで、すなわち液晶パネルＰの対角線方向に移動可能に構成される。移動手段としては、特に限定されるものではないが、たとえば複数軸を持った垂直多関節ロボットなどが挙げられる。
【００５５】
移動手段（図示せず）は、保護フィルムＦの剥離開始時に、剥離部材１０４を液晶パネルＰの一角部に移動させて保護フィルムＦの一角部を粘着させた後、液晶パネルＰの一角部から対向する一角部まで移動させることにより、保護フィルムＦを液晶パネルＰから、完全に剥離させることができる。剥離部材１０４および移動手段は、剥離部に相当する。
【００５６】
発光部１０５および受光部１０６は、液晶パネルＰを挟んで対向するように設けられる。すなわち、液晶パネルＰの中央部において液晶パネルＰの下方には発光部１０５が設けられ、液晶パネルＰを挟んだ発光部１０５の反対側であって、液晶パネルＰの上方には受光部１０６が設けられる。
【００５７】
なお、上記構成では、発光部１０５および受光部１０６は液晶パネルＰの中央部に一対設けられる構成であったが特にこれに限定されるものではなく、たとえば複数対の発光部１０５および受光部１０６が中央部に一列に並んで設けられる構成であってもよい。このように、中央部一箇所のみよりも複数箇所において帯電量を測定した場合のほうが、より液晶パネルＰの帯電状態を正確に把握できるため、発光部１０５および受光部１０６は複数対設けられる方が好ましい。
【００５８】
発光部１０５は、たとえばＬＥＤ（Light Emitting Diode）から構成され、液晶パネルＰに向けて、液晶パネル面に対して略直角方向にレーザ光Ｌ１を出射して入射させる。受光部１０６は、たとえば光電センサから構成され、液晶パネルＰを透過した透過光Ｌ２を受光して、その受光量に基づいて、液晶パネルＰの帯電量を検出する。発光部１０５および受光部１０６は、帯電検出部に相当する。
【００５９】
以下、発光部１０５および受光部１０６による帯電量検出の原理について説明する。図２に示すように、液晶パネルＰの対向電極２０１と画素電極２０２との間に、たとえば電界Ｙ２などの電界が発生すると、液晶材料２０３を構成する液晶分子が配向され、その結果、液晶パネルＰの内部を光が透過するようになる。透過光Ｌ２の光量は、液晶パネルＰの対向電極２０１と画素電極２０２との間の電界強度に依存することが知られている。発光部１０５および受光部１０６は、上述の原理を利用して液晶パネルＰの帯電量を検出する。すなわち、発光部１０５から出射されたレーザ光Ｌ１は、液晶パネルＰの対向電極２０１と画素電極２０２との間に電界が存在する場合には、液晶パネルＰの内部を透過する。そして液晶パネルＰの内部を透過した透過光Ｌ２は、受光部１０６に受光される。透過光Ｌ２の光量は液晶パネルＰの対向電極２０１と画素電極２０２との間の電界による電界強度に比例するので、受光部１０６により透過光Ｌ２の光量を受光して測定することにより、液晶パネルＰの対向電極２０１と画素電極２０２との間の電界強度、すなわち液晶パネルＰの帯電量を間接的に求めることができる。
【００６０】
このように、液晶パネル面に対してレーザ光Ｌ１を入射させる発光部１０５と、液晶パネルＰを透過した透過光Ｌ２を受光する受光部１０６とが備えられ、発光部１０５および受光部１０６は、液晶パネルＰを挟んで対向するように設けられ、透過光Ｌ２の受光量に基づいて帯電量を検出することにより、液晶分子の配向を利用して簡便に液晶パネルＰの帯電量を検出することができ、より簡便に電極部１０７の電位を調整することができる。
【００６１】
受光部１０６は、電位調整部１０８に接続され、検出した透過光Ｌ２の光量、すなわち液晶パネルＰの帯電量を電位調整部１０８に入力する。電位調整部１０８は、受光部１０６により入力された液晶パネルＰの帯電量に基づいて、バイポーラ電源１０９の出力を調整する。これにより、より容易に電極部１０７の印加電位を調整することができるようになり、ＴＦＴ素子や駆動ＩＣドライバ２０５の破壊をより容易に防ぐことができる。
【００６２】
電極部１０７は、液晶パネルＰの保護フィルムＦが剥離される側の面に対して反対側、すなわち液晶パネルＰの下方に、液晶パネルと所定の間隔を隔てて、発光部１０５と受光部１０６との間に位置するように配置される。
【００６３】
電極部１０７は、たとえばアルミニウムなどの金属から構成される矩形状の板状部材であり、その大きさとしては、液晶パネルＰと略同一寸法であることが好ましく、特には液晶パネルＰの４辺の端から５ｍｍ〜１０ｍｍ程度大きい寸法であることが好ましい。
【００６４】
また電極部１０７は、その面が、液晶パネルＰの面に対して略平行になるように配置されることが好ましく、その間隔としては１ｍｍ〜１０ｍｍ程度であることが好ましい。本実施形態においては、電極部１０７の面と液晶パネルＰの面との間隔は１ｍｍ程度になるように構成される。
【００６５】
このように、電極部１０７は、液晶パネルＰと略同一寸法である矩形状の板状部材であり、液晶パネルＰの面に対して略平行になるように配置されることにより、保護フィルムＦの剥離によって液晶パネルＰに発生する電界による電界強度を減少させる電界を、液晶パネルＰに対して均一に発生させることができるため、ＴＦＴ素子や駆動ＩＣドライバ２０５の破壊をより確実に防ぐことができる。
【００６６】
また、電極部１０７の中央部においては、発光部１０６からのレーザ光Ｌ１を遮蔽しないように、電極部１０７から生じる電界強度分布に影響がない程度の大きさの開口部（図示せず）が設けられる。
【００６７】
このように、電極部１０７は、発光部１０５と受光部１０６との間に配設され、発光部１０５から出射されるレーザ光Ｌ１を通過させる開口部が設けられることが好ましい。これにより、電極部１０７を発光部１０５と受光部１０６との間に配設しても、発光部１０５から出射されるレーザ光Ｌ１が遮蔽されることなく受光部１０６に受光されるようにすることができ、より装置を小型化することができる。
【００６８】
電極部１０７は、上記構成に限定されるものではなく、たとえば、表面に凹凸が設けられた形状のものであってもよいし、またメッシュ状の形状であってもよい。
【００６９】
電極部１０７は、バイポーラ電源１０９に接続される。このように、電極部１０７が接続される電源がバイポーラ電源１０９であることにより、正負両電位を電極部１０７に与えることができ、保護フィルムＦの剥離時における偏光板表面の帯電状態に対応して、電極部１０７の印加電位を任意に設定することができる。電位調整部１０８およびバイポーラ電源１０９は電源部に相当する。
【００７０】
なお、バイポーラ電源１０９による印加電位の正負の設定は、保護フィルムＦの剥離開始前に行う。たとえば、最初に保護フィルムＦの剥離を行う場合、すなわち初期状態の液晶パネルＰから保護フィルムＦを剥離する場合には、偏光板２０４と保護フィルムＦとの材質により偏光板２０４がたとえば正に帯電するとあらかじめ判断できる。そのため、この場合には、保護フィルムＦの剥離開始前にバイポーラ電源１０９の印加電位を負に設定する。
【００７１】
また、液晶パネルＰの製造工程の都合により、再貼り付けされた保護フィルムＦを再度剥離する場合などには、初期状態と帯電の正負が逆転することが知られている。そのため、この場合には、保護フィルムＦの剥離開始前にバイポーラ電源１０９の印加電位を正に設定する。
【００７２】
なお、上記構成では、電源としてバイポーラ電源を用いたが、特にこれに限定されるものではなく、一般的に使用される電源、たとえば単極性の電源を用いてもよい。
【００７３】
以下、本発明の保護フィルム剥離装置１によって、保護フィルムＦの剥離時に生じるＴＦＴ素子や駆動ＩＣドライバ２０５の破壊を防ぐ方法について説明する。
【００７４】
図２に示すように、保護フィルムＦを剥離する際に、偏光板２０４の表面は剥離帯電によって、たとえば正に帯電する。このとき、偏光板２０４表面における帯電の正負は、保護フィルムＦおよび偏光板２０４の材質に依存する。そして、帯電した偏光板２０４からは電界Ｙ１が液晶パネルＰの内部に向かって発生し、その作用により対向電極２０１が静電誘導されて内部に電荷の偏りを生じる。対向電極２０１の内部に電荷の偏りが生じると、電界Ｙ２が画素電極２０２に向かって発生し、その作用により画素電極２０２もまた静電誘導されて内部に電荷の偏りを生じる。さらに、画素電極２０２の内部に電荷の偏りが生じると、電界Ｙ３が、液晶パネルＰの保護フィルムＦが剥離される側の面に対して反対側に設けられる電極部１０７に向かって発生する。
【００７５】
本発明の保護フィルム剥離装置１は、電位調整部１０８およびバイポーラ電源１０９によって電極部１０７の印加電位を調整することで、電界Ｙ１，Ｙ２およびＹ３による電界強度を減少させる電界Ｙ４，Ｙ５およびＹ６を生じさせることによって、保護フィルムＦの剥離時に発生する液晶パネルＰの剥離帯電をなくし、ＴＦＴ素子や駆動ＩＣドライバ２０５の破壊を防止する。
【００７６】
ここで、電極部１０７の印加電位の調整方法について詳細に説明する。電位調整部１０８およびバイポーラ電源１０９は、保護フィルムＦの剥離時に発生する液晶パネルＰの剥離帯電をなくすために、発光部１０５および受光部１０６により検出された液晶パネルＰの帯電量に基づいて、液晶パネルＰの帯電量、すなわち電界Ｙ１，Ｙ２およびＹ３による電界強度を減少させるように電極部１０７の印加電位を調整する。その調整方法として、特には、保護フィルム剥離時に液晶パネルＰの対向電極２０１と画素電極２０２との間に生じる電界Ｙ２による電界強度を減少させるように、特に好ましくは電界Ｙ１およびＹ３による電界強度と比較して最小になるように調整することが好ましい。
【００７７】
電界Ｙ２による電界強度は、上述したように、受光部１０６により検出された透過光Ｌ２の光量を測定することにより間接的に求めることができる。したがって、電位調整部１０８は、受光部１０６により入力された透過光Ｌ２の光量から電界Ｙ２による電界強度を求め、その結果に基づいて液晶パネルＰの対向電極２０１と画素電極２０２との間に生じる電界Ｙ２による電界強度を減少させるように、バイポーラ電源１０９の出力を調整する。これにより、電界Ｙ２による電界強度を最も効果的に減少させるように、電界Ｙ４，Ｙ５およびＹ６を発生させることができる。
【００７８】
このように、電位調整部１０８およびバイポーラ電源１０９は、液晶パネルＰの対向電極２０１と画素電極２０２との間の電界Ｙ２による電界強度を減少させるように電極部１０７の印加電位を調整することにより、保護フィルム剥離時に発生する液晶パネルＰの剥離帯電をより効果的になくすことができ、ＴＦＴ素子や駆動ＩＣドライバ２０５の破壊をより確実に防ぐことができる。
【００７９】
なお上記構成では、電界Ｙ２による電界強度を減少させるように電極部１０７の印加電位を調整したが、特にこれに限定されるものではなく、受光部１０６により検出された液晶パネルＰの帯電量に基づいて電界Ｙ３や電界Ｙ４による電界強度を求め、その結果に基づいて電界Ｙ３や電界Ｙ４による電界強度を減少させるように調整してもよい。
【００８０】
以下に、本発明の保護フィルム剥離装置１の動作について説明する。
本発明の保護フィルム剥離装置１により保護フィルムＦの剥離を行うために、まず、たとえばユーザによって、液晶パネルＰが保持台１０１の中抜き部１０１ａに設置され、樹脂パッド１０３により固定される。そして、たとえばユーザにより保護フィルム剥離開始の指示がなされると、以下に示す一連の保護フィルム剥離動作が開始される。
【００８１】
保護フィルム剥離開始の指示がなされると、移動手段（図示せず）は、剥離部材１０４を液晶パネルＰの一角部の上方に移動させる。そして、剥離部材１０４の粘着部１０４ａが保護フィルムＦに接触する位置まで剥離部材１０４を下降させ、粘着部１０４ａが保護フィルムＦの一角部に接触して粘着されると、剥離部材１０４をあらかじめ入力された一定の高さまで上昇させる。これにより保護フィルムＦの剥離が開始される。その後、剥離部材１０４があらかじめ入力された一定の高さまで上昇すると、移動手段は、剥離部材１０４を保護フィルムＦが粘着された一角部から対向する一角部に向かって移動するように、液晶パネルＰの対角線方向に移動させる。これにより、保護フィルムＦは、液晶パネルＰの対角線に沿って剥離されていく。
【００８２】
保護フィルムＦの剥離開始に同期して、すなわち移動手段による剥離部材１０４の上昇動作に同期して、発光部１０５は、液晶パネルＰに向けて、液晶パネル面に対して略直角方向にレーザ光Ｌ１を出射して入射させる。そして受光部１０６は、液晶パネルＰを透過した透過光Ｌ２を受光して、検出した透過光Ｌ２の受光量、すなわち液晶パネルＰの帯電量を電位調整部１０８に入力する。
【００８３】
電位調整部１０８は、受光部１０６により入力された透過光Ｌ２の受光量に基づいて、液晶パネルＰの対向電極２０１と画素電極２０２との間に生じる電界Ｙ２による電界強度を求め、その結果に基づいて、電界Ｙ２による電界強度を減少させるようにバイポーラ電源１０９の出力を調整する。バイポーラ電源１０９は、電界Ｙ２による電界強度を最も効果的に減少させるように、電極部１０７の印加電位を調整することにより電界Ｙ４，Ｙ５およびＹ６を発生させ、保護フィルムＦの剥離によって液晶パネルＰに発生する電界Ｙ１，Ｙ２およびＹ３による電界強度を減少させる。
【００８４】
発光部１０５および受光部１０６による帯電量検出動作、ならびに電位調整部１０８およびバイポーラ電源１０９による電極部１０７の印加電位の調整動作は、移動手段が保護フィルムＦが粘着された一角部から対向する一角部まで移動して、全ての保護フィルムＦが剥離されるまで続けられる。
【００８５】
そして、保護フィルムＦが全て剥離されると、発光部１０５および受光部１０６による帯電量検出動作、ならびに電位調整部１０８およびバイポーラ電源１０９による電極部１０７の印加電位の調整動作は停止され、保護フィルム剥離装置１による一連の保護フィルム剥離動作は終了する。
【００８６】
このように、本発明の保護フィルム剥離装置１において、保持台１０１、支持部材１０２および樹脂パッド１０３は液晶パネルＰを保持し、剥離部材１０４および移動手段（図示せず）は保護フィルムＦを液晶パネルＰから剥離し、発光部１０５および受光部１０６は液晶パネルＰの帯電量を検出し、電極部１０７は液晶パネルＰの保護フィルムＦが剥離される側の面に対して反対側に、液晶パネルＰと所定の間隔を隔てて配置され、電位調整部１０８およびバイポーラ電源１０９は発光部１０５および受光部１０６が検出した液晶パネルＰの帯電量に基づいて、液晶パネルＰの帯電量を減少させるように電極部１０７の印加電位を調整する。
【００８７】
このように、液晶パネルＰと所定の間隔を隔てて配置された電極部１０７の印加電位を調整することによって液晶パネルＰの帯電量を減少させるようにするため、液晶パネルＰの各電極を破壊することなく、ＴＦＴ素子や駆動ＩＣドライバ２０５の破壊を防ぐことができる。
【００８８】
また、発光部１０５および受光部１０６が検出した液晶パネルＰの帯電量に基づいて電極部１０７の印加電位を調整するため、確実にＴＦＴ素子や駆動ＩＣドライバの破壊を防ぐことができる。
【００８９】
なお、上記実施形態においては、発光部１０５および受光部１０６は液晶パネルＰの中央部に一対設けられる構成であったが、たとえば複数対の発光部１０５および受光部１０６が設けられる場合には、複数の受光部１０６により受光される透過光Ｌ２の受光量の平均値を求め、求めた平均値に基づいて、上述の電位調整部１０８およびバイポーラ電源１０９による電極部１０７の印加電位の調整動作を行えばよい。
【図面の簡単な説明】
【００９０】
【図１】本発明の一実施形態における保護フィルム剥離装置の構成を簡略化して示す斜視図である。
【図２】本発明の保護フィルム剥離装置によって保護フィルムが剥離されるときの液晶パネルの帯電状態を示す断面図である。
【図３】液晶パネルの構造を示す断面図である。
【図４】保護フィルム剥離時における液晶パネルの帯電状態を示す断面図である。
【符号の説明】
【００９１】
１  保護フィルム剥離装置
１０１  保持台
１０２  支持部材
１０３  樹脂パッド
１０４  剥離部材
１０５  発光部
１０６  受光部
１０７  電極部
１０８  電位調整部
１０９  バイポーラ電源
２０１  対向電極
２０２  画素電極
２０３  液晶材料
２０４  偏光板
２０５  駆動ＩＣドライバ
【図１】
2009086547.tif 000003
【図２】
2009086547.tif 000004
【図３】
2009086547.tif 000005
【図４】
2009086547.tif 000006